(57)【要約】【課題】テレビジョン放送の映像が全画面表示されているときに、操作パネルを表示することなくテレビジョン機能の操作を行うことができるテレビジョン放送受信機能内蔵情報処理装置を提供する。【解決手段】出力手段２０２は、全画面表示モードのときには、受信したテレビジョン信号に基づく映像データのみを含む映像信号を映像音声出力装置３００に出力し、ユーザの操作に応じた操作データを出力する操作入力手段２０３から出力される複数種類の操作データのそれぞれが示す各操作と、映像音声出力装置３００に出力される信号に対する制御の種類とが予め対応付けられ、操作データ判別手段２０４が、操作入力手段２０３から出力された操作データが示す操作が制御の種類に対応づけられている操作のうちのいずれかであると判定した場合に、その操作に対応する制御を実行する制御実行手段２０５を備えている。【選択図】図９
2009284165.tif 000002
【特許請求の範囲】
【請求項１】
テレビジョン信号を受信する受信手段と、受信手段が受信したテレビジョン放送に基づく映像信号および音声信号を映像音声出力装置に出力する出力手段とを備えた情報処理装置であって、
前記出力手段は、全画面表示モードのときには、受信したテレビジョン信号に基づく映像データのみを含む映像信号を映像音声出力装置に出力し、操作パネル表示モードのときには、受信したテレビジョン信号に基づく映像データと操作パネルの画像データとを含む映像信号を映像音声出力装置に出力し、
ユーザの操作に応じた操作データを出力する操作入力手段を備え、
前記操作入力手段から出力される複数種類の操作データのそれぞれが示す各操作と、映像音声出力装置に出力される信号に対する制御の種類とが予め対応付けられ、
全画面表示モードのときに、前記操作入力手段から出力された操作データが、前記操作入力手段から出力された操作データが示す操作が制御の種類に対応づけられている操作のうちのいずれかであるか否か判別する操作データ判別手段と、
前記操作データ判別手段が、操作入力手段から出力された操作データが示す操作が制御の種類に対応づけられている操作のうちのいずれかであると判定した場合に、その操作に対応する制御を実行する制御実行手段とを備えた
ことを特徴とする情報処理装置。
【請求項２】
全画面表示モードと操作パネル表示モードとを切り替える切替手段を備えた
請求項１記載の情報処理装置。
【請求項３】
複数の制御に、少なくとも、テレビジョン放送のチャンネル切替制御および音量増減制御が含まれる
請求項１または請求項２記載の情報処理装置。
【請求項４】
操作入力手段は、操作手段としてのポインティングデバイスから操作を示す信号を入力する
請求項１から請求項３のうちのいずれか１項に記載の情報処理装置。
【請求項５】
操作入力手段は、操作手段としてのキーボードから操作を示す信号を入力する
請求項１から請求項３のうちのいずれか１項に記載の情報処理装置。
【請求項６】
ユーザの操作に応じた操作データを出力する操作入力手段と、テレビジョン放送を受信する受信手段と、受信手段が受信したテレビジョン信号に基づく映像信号および音声信号を映像音声出力装置に出力する出力手段とを備えた情報処理装置における映像音声出力装置に出力する信号を制御する出力信号制御方法であって、
前記操作入力手段から出力される複数種類の操作データのそれぞれが示す各操作と、映像音声出力装置に出力される信号に対する制御の種類とを対応付け、
受信したテレビジョン信号に基づく映像データのみを含む映像信号を映像音声出力装置に出力する全画面表示モードのときに、前記操作入力手段から出力された操作データが示す操作が制御の種類に対応付けられている操作のうちのいずれかであるか否か判別し、
前記操作入力手段から出力された操作データが示す操作が制御の種類に対応付けられている操作のうちのいずれかであると判定した場合に、その操作に対応する制御を実行する
ことを特徴とする出力信号制御方法。
【請求項７】
ユーザの要求に応じて、全画面表示モードと、受信したテレビジョン信号に基づく映像データと操作パネルの画像データとを含む映像信号を映像音声出力装置に出力する操作パネル表示モードとを切り替える
請求項６記載の出力信号制御方法。
【請求項８】
複数の制御には、少なくとも、テレビジョン放送のチャンネル切替制御および音量増減制御が含まれる
請求項６または請求項７記載の出力信号制御方法。
【発明の詳細な説明】
【技術分野】
【０００１】
本発明は、テレビジョン放送を受信する機能を内蔵した情報処理装置、および情報処理装置における映像音声出力装置に出力する信号を制御する出力信号制御方法に関する。
【背景技術】
【０００２】
テレビジョン放送を受信および表示する機能（以下、テレビジョン機能という。）を内蔵したパーソナルコンピュータは、テレビジョン放送の映像について、パーソナルコンピュータのモニタ画面における使用可能なすべての画素を表示素子とする機能（以下、全画面表示という。）を備えている。全画面表示している映像に対する表示画面のサイズ切り替え、映像チャンネル切り替えおよび音量調整は、リモートコントローラ、ポインティングデバイスまたはキーボードなどの入力デバイスからの操作によって行われる（例えば、特許文献１参照）。
【０００３】
リモートコントローラによって操作を行う場合には、リモートコントローラのボタン操作によって、直接、映像チャンネル切り替えや音量調整を行うことが可能である。しかし、ポインティングデバイスやキーボードによって操作を行う場合には、例えば、モニタ画面上に表示されるテレビジョン機能操作用の操作パネルをクリックすることによって映像チャンネル切り替えや音量調整を行う。なお、テレビジョン機能操作用の操作パネルには、全ての視聴可能な映像チャンネルを示す数字や、音量の上昇／下降に対応したマークなどが表示されている。
【特許文献１】特開２００７−６７４５９（段落００２８，００３８）
【発明の開示】
【発明が解決しようとする課題】
【０００４】
図１１は、テレビジョン放送の映像表示例を説明するための説明図である。図１１に示す例では、表示可能エリア１０３において、画像表示エリア１０１に映像が表示されているが、画像表示エリア１０１の内部に、操作パネル１０２の画像が表示されている。図１１に示すように、テレビジョン放送の映像が全画面表示されているときにポインティングデバイスやキーボードを用いてテレビジョン放送の映像チャンネル切り替えや音量調整を行う場合に、操作パネル１０２の画像がテレビジョン放送の映像と重なってモニタ画面に表示されてしまい、テレビジョン放送の映像の一部分が遮られてしまうことになる。映像チャンネルを切り替えずに音量調整をしたい場合であっても、操作パネルがテレビジョン放送の映像の一部分を遮るために、視聴者は、視聴者にとって重要な映像を見損なうおそれがある。
【０００５】
そこで、本発明は、テレビジョン放送の映像が全画面表示されているときに、操作パネルを表示することなくテレビジョン機能の操作を行うことができるテレビジョン放送受信機能内蔵情報処理装置および出力信号制御方法を提供することを目的とする。
【課題を解決するための手段】
【０００６】
本発明による情報処理装置は、テレビジョン信号を受信する受信手段と、受信手段が受信したテレビジョン放送に基づく映像信号および音声信号を映像音声出力装置に出力する出力手段とを備えた情報処理装置であって、出力手段は、全画面表示モードのときには、受信したテレビジョン信号に基づく映像データのみを含む映像信号を映像音声出力装置に出力し、操作パネル表示モードのときには、受信したテレビジョン信号に基づく映像データと操作パネルの画像データとを含む映像信号を映像音声出力装置に出力し、ユーザの操作に応じた操作データを出力する操作入力手段を備え、操作入力手段から出力される複数種類の操作データのそれぞれが示す各操作と、映像音声出力装置に出力される信号に対する制御の種類とが予め対応付けられ、全画面表示モードのときに、操作入力手段から出力された操作データが、操作入力手段から出力された操作データが示す操作が制御の種類に対応づけられている操作のうちのいずれかであるか否か判別する操作データ判別手段と、操作データ判別手段が、操作入力手段から出力された操作データが示す操作が制御の種類に対応づけられている操作のうちのいずれかであると判定した場合に、その操作に対応する制御を実行する制御実行手段とを備えたことを特徴とする。
【０００７】
本発明による出力信号制御方法は、ユーザの操作に応じた操作データを出力する操作入力手段と、テレビジョン放送を受信する受信手段と、受信手段が受信したテレビジョン信号に基づく映像信号および音声信号を映像音声出力装置に出力する出力手段とを備えた情報処理装置における映像音声出力装置に出力する信号を制御する出力信号制御方法であって、操作入力手段から出力される複数種類の操作データのそれぞれが示す各操作と、映像音声出力装置に出力される信号に対する制御の種類とを対応付け、受信したテレビジョン信号に基づく映像データのみを含む映像信号を映像音声出力装置に出力する全画面表示モードのときに、操作入力手段から出力された操作データが示す操作が制御の種類に対応付けられている操作のうちのいずれかであるか否か判別し、操作入力手段から出力された操作データが示す操作が制御の種類に対応付けられている操作のうちのいずれかであると判定した場合に、その操作に対応する制御を実行することを特徴とする。
【発明の効果】
【０００８】
本発明によれば、テレビジョン機能を内蔵する情報処理装置において、全画面表示モードのときには、表示部に操作パネルの画像データを送ることなく、テレビジョン放送の映像チャンネル切り替え操作や音量調整操作を行うことができる。
【発明を実施するための最良の形態】
【０００９】
実施形態１．
以下、本発明の実施形態を図面を参照して説明する。図１は、本実施形態のテレビジョン放送表示機能を内蔵するパーソナルコンピュータ本体におけるテレビジョン機能に関する構成要素を周辺装置とともに示すブロック図である。
【００１０】
パーソナルコンピュータ本体１１は、チューナ１２、テレビジョン映像表示制御部１３、テレビジョン機能制御手段１４、映像記憶装置１５、キーボードコントローラ１６、ポインティングデバイスコントローラ１７およびアンテナ入力端子１９を備えている。また、周辺装置として、液晶表示装置などによるモニタ（表示部）２４およびスピーカ２５がある。図１には、アンテナケーブル２１、キーボード２２およびポインティングデバイス２３も示されている。
【００１１】
テレビジョン映像表示制御部１３は、チューナ１２に、アンテナ入力端子１９に接続されたアンテナケーブル２を介して送られてきた信号から所望のチャンネルの信号を選択させ、チューナ１２が選択した信号から復元した映像データや音声データをモニタ２４やスピーカ２５に出力する。また、テレビジョン映像表示制御部１３は、テレビジョン機能操作用の操作パネル画像（以下、操作パネルという。）の画像データを作成し、作成した画像データをモニタ２４に出力する機能を有する。また、ポインティングデバイスによる操作パネルにおける表示の選択に応じて、映像チャンネル切り替えや音量調整などの制御を実行する。さらに、テレビジョン映像表示制御部１３は、テレビジョン機能制御手段１４からの指示に応じて、操作パネルの画像データをモニタ２４に出力するモードと出力しないモードとを切り替える機能も備えている。
【００１２】
タイムシフト再生機能を実現するために、映像記憶装置１５が設けられている。映像記憶装置１５は、テレビジョン放送の映像データを記憶し、テレビジョン映像表示制御部１３からの早送りや巻き戻しなどの要求に従って記憶した映像データを出力する機能を備えている。タイムシフト再生機能使用時には、テレビジョン映像表示制御部１３は、リアルタイムのテレビジョン放送の映像データではなく、映像記憶装置１５から入力した映像データをモニタ２４やスピーカ２５に出力する。なお、映像記憶装置１５は、パーソナルコンピュータ本体１１に内蔵されている必要はなく、ＤＶＤレコーダのような外付けの装置であってもよい。
【００１３】
テレビジョン機能制御手段１４は、テレビジョン放送の全画面表示が行われている場合には、ポインティングデバイスコントローラ１７やキーボードコントローラ１６からの操作データを識別して、映像チャンネル切り替えや音量調整の要求があったか否か判断する。
【００１４】
ポインティングデバイスコントローラ１７は、ポインティングデバイス２３から操作信号を入力し、操作信号に対応する操作データをテレビジョン機能制御手段１４に出力する。ポインティングデバイス２３がマウスである場合には、操作データは、ボタン押下の状態を示す状態データや移動操作を示す移動データである。キーボードコントローラ１６は、キーボード２２から押下キーのキーコードを入力し、テレビジョン機能制御手段１４に出力する。以下、ポインティングデバイス２３は、マウスであるとする。
【００１５】
図２は、テレビジョン操作機能とマウスまたはキーボードによる入力操作との対応関係の一例を示す説明図である。パーソナルコンピュータ本体１１の記憶部（図１において図示せず）には、図２に例示する対応関係を示すデータは予め記憶されている。記憶部には、ポインティングデバイスコントローラ１７およびキーボードコントローラ１６から入力される状態データ、移動データおよびキーコードに対応して、映像チャンネル切り替えや音量調整を示すデータが設定されている。つまり、特定の状態データ、移動データおよびキーコードに対応する操作信号を作成するためのテーブルが記憶部に記憶されている。テレビジョン機能制御手段１４は、状態データ、移動データおよびキーコードが入力されると、記憶部に記憶されているテーブルのデータに従って、テレビジョン機能の操作信号を作成する。
【００１６】
次に、本実施形態の動作を説明する。本実施形態では、パーソナルコンピュータ本体１１においてテレビジョン機能が起動されると、図３に示されるように、モニタ２４画面における全体ではなく、ウィンドウ枠である画像表示エリア１０１の中にテレビジョン放送画面が表示される（以下、ウィンドウ表示という。）。
【００１７】
ユーザは、図３に示されたウィンドウ表示から、操作パネル１０２が表示されることなく画像表示エリア１０１が全て表示される図４に示すような全画面表示モードに移行させたい場合には、所定の操作を行う。所定の操作は、例えば、キーボード２２におけるあらかじめ決められているキーを押下することである。所定の操作が行われると、テレビジョン機能制御手段１４は、テレビジョン映像表示制御部１３に対して、モードの切り替えを指示する。テレビジョン機能制御手段１４は、指示に応じて、画面表示モードを、作成した操作パネル１０２画像データをモニタ２４に出力するモードから、操作パネル１０２の画像データをモニタ２４に出力しないモードに切り替える。そして、テレビジョン機能制御手段１４は、切り替え後のモードを示すデータをテレビジョン映像表示制御部１３に出力する。なお、全画面表示において、使用可能なすべての画素を表示素子とするのではなく、あらかじめ決められている数の画素を表示素子にしてもよい。ただし、その場合でも、画面に、操作パネル１０２等の画像は表示されない。
【００１８】
以後、テレビジョン映像表示制御部１３は、チューナ１２が選択した信号から復元した映像データのみをモニタ２４に出力する。なお、テレビジョン映像表示制御部１３は、映像データをモニタ２４に出力するときに、映像データによる映像が全画面表示されるように映像データを変換する。すなわち、操作パネル１０２の画像データをモニタ２４に出力しないモードは、全画面表示モードに相当する。
【００１９】
また、全画面表示モードに移行すると、テレビジョン機能制御手段１４は、操作パネル１０２に関わりなく、ポインティングデバイスコントローラ１７およびキーボードコントローラ１６から入力される状態データ、移動データおよびキーコードと、記憶部に記憶されているテーブルとにもとづいて、映像チャンネル切り替えや音量調節の制御を実行する。
【００２０】
状態データ、移動データおよびキーコードとテレビジョン機能の操作との対応関係を、図５に示すような左ボタン３１と右ボタン３２を備えたマウス２６（ポインティングデバイス２３の一例）を用いる場合を例にして説明する。図６は、マウスの操作を説明するための説明図である。本実施形態では、図６に示す操作（Ａ）〜（Ｇ）を、テレビジョン機能に対応する操作とする。なお、図６において、黒表示されているマウス２６の左右ボタンは押下されたボタンを示し、マウス２６の周囲に記載されている矢印は、マウス２６の移動方向を示す。
【００２１】
操作（Ａ）は、左ボタン３１および右ボタン３２を押下せずにマウス２６を上下（机上では前後）に移動させる操作である。操作（Ａ）を、音量調整の機能に対応させる。具体的には、マウス２６の上方への移動を音量増加の操作とし、マウス２６の下方への移動を音量減少の操作とする。マウス２６を上方に移動させると、ポインティングデバイスコントローラ１７からテレビジョン機能制御手段１４にマウス２６が上方に移動したことを示す移動データが出力される。テレビジョン機能制御手段１４は、マウス２６が上方に移動したことを示す移動データが入力されると、記憶部に記憶されているテーブルを参照してテレビジョン機能の音量増加を示す操作信号を作成する。テレビジョン機能制御手段１４は、作成した操作信号をテレビジョン映像表示制御部１３に出力する。テレビジョン映像表示制御部１３は、音量増加を示す操作信号が入力されると、スピーカ２５に対して出力する音声信号の音量レベルを上げる。
【００２２】
マウス２６を下方に移動させると、ポインティングデバイスコントローラ１７からテレビジョン機能制御手段１４にマウス２６が下方に移動したことを示す移動データが出力される。テレビジョン機能制御手段１４は、マウス２６が下方に移動したことを示す移動データが入力されると、記憶部に記憶されているテーブルを参照してテレビジョン機能の音量減少を示す操作信号を作成する。テレビジョン機能制御手段１４は、作成した操作信号をテレビジョン映像表示制御部１３に出力する。テレビジョン映像表示制御部１３は、音量減少を示す操作信号が入力されると、スピーカ２５に対して出力する音声信号の音量レベルを下げる。
【００２３】
操作（Ｂ）は、左ボタン３１を押下しながらマウス２６を上下に移動させる操作である。操作（Ｂ）を、映像チャンネルの切り替えの機能に対応させる。左ボタン３１を押下しながらマウス２６を上方に移動させると、ポインティングデバイスコントローラ１７からテレビジョン機能制御手段１４に、マウス２６の左ボタン３１が押下されていることを示す状態データ、およびマウス２６が上方に移動したことを示す移動データ出力される。テレビジョン機能制御手段１４は、マウス２６の左ボタン３１が押下されていることを示す状態データ、およびマウス２６が上方に移動したことを示す移動データが入力されると、記憶部に記憶されているテーブルを参照して映像チャンネル番号の加算を示す操作信号を作成する。
【００２４】
テレビジョン機能制御手段１４は、作成した操作信号をテレビジョン映像表示制御部１３に出力する。テレビジョン映像表示制御部１３は、映像チャンネル番号の加算を示す操作信号が入力されると、チューナ１２を、現在選択しているチャンネルに対する１つ上のチャンネル（チャンネル番号が１多いチャンネル）の信号を選択する状態に切り替える。
【００２５】
左ボタン３１を押下しながらマウス２６を下方に移動させると、ポインティングデバイスコントローラ１７からテレビジョン機能制御手段１４に、マウス２６の左ボタン３１が押下されていることを示す状態データ、およびマウス２６が下方に移動したことを示す移動データ出力される。テレビジョン機能制御手段１４は、マウス２６の左ボタン３１が押下されていることを示す状態データ、およびマウス２６が下方に移動したことを示す移動データが入力されると、記憶部に記憶されているテーブルを参照して映像チャンネル番号の減算を示す操作信号を作成する。
【００２６】
テレビジョン機能制御手段１４は、作成した操作信号をテレビジョン映像表示制御部１３に出力する。テレビジョン映像表示制御部１３は、映像チャンネル番号の減算を示す操作信号が入力されると、チューナ１２を、現在選択しているチャンネルに対する１つ下のチャンネル（チャンネル番号が１少ないチャンネル）の信号を選択する状態に切り替える。
【００２７】
操作（Ｃ）は、右ボタン３２をダブルクリックする操作である。操作（Ｃ）を、全画面表示から図３に示されたウィンドウ表示に移行させる機能に対応させる。マウス２６の右ボタン３２がダブルクリックされると、ポインティングデバイスコントローラ１７からテレビジョン機能制御手段１４に、マウス２６の右ボタン３２がダブルクリックされたことを示す状態データが出力される。テレビジョン機能制御手段１４は、右ボタン３２がダブルクリックされたことを示す状態データが入力されると、記憶部に記憶されているテーブルを参照して全画面表示からウィンドウ表示への移行を示す操作信号を作成する。テレビジョン機能制御手段１４は、作成した操作信号をテレビジョン映像表示制御部１３に出力する。テレビジョン映像表示制御部１３は、全画面表示からウィンドウ表示への移行を示す操作信号が入力されると、モニタ２４の画像表示エリア１０１をウィンドウ表示にする。
【００２８】
なお、モニタ２４においてウィンドウ表示が行われているときには、例えば、ポインティングデバイス１７によって操作パネル１０２におけるいずれかの表示項目（例えば、チャンネル番号の表示）が選択されると、選択された表示項目に応じた指示信号がテレビジョン映像表示制御部１３に対して入力される。
【００２９】
パーソナルコンピュータ本体１１がタイムシフト再生機能を備えている場合には、テレビジョン機能制御手段１４は、操作（Ｄ）、（Ｅ）、（Ｆ）および（Ｇ）に対応する操作信号をテレビジョン映像表示制御部１３に出力する。図７は、タイムシフト再生機能にもとづく映像の再生が行われているときの処理を示すフローチャートである。
【００３０】
操作（Ｄ）は、左ボタン３１および右ボタン３２を押下せずにマウス２６を左または右に移動させる操作である。図７（ａ）に示すように、タイムシフト表示中に（ステップＳ１１）、操作（Ｄ）が行われると、ポインティングデバイスコントローラ１７からテレビジョン機能制御手段１４に、マウス２６の左右方向への移動を示す移動データが出力される。テレビジョン機能制御手段１４は、タイムシフト表示（タイムシフト再生）中にマウス２６の左右方向への移動を示す移動データが入力されると、記憶部に記憶されているテーブルを参照してタイムシフト停止を示す操作信号を作成する。テレビジョン機能制御手段１４は、作成した操作信号をテレビジョン映像表示制御部１３に出力する。テレビジョン映像表示制御部１３は、タイムシフト停止を示す操作信号が入力されると、モニタ２４画面におけるタイムシフト表示を停止する（ステップＳ１２）。すなわち、テレビジョン映像表示制御部１３は、その時点において映像データを読み出していた映像記憶装置１５における読み出しアドレスの映像データを繰り返しモニタ２４に出力する処理を繰り返す。すなわち、映像の再生が停止した停止状態になる。
【００３１】
操作（Ｇ）は、マウス２６を移動させない状態で左ボタン３１を押下する操作である。マウス２６を移動させない状態で左ボタン３１を押下すると、ポインティングデバイスコントローラ１７からテレビジョン機能制御手段１４に、マウス２６の左ボタン３１が押下されていることを示す状態データのみが出力される。テレビジョン機能制御手段１４は、タイムシフト停止中に左ボタン３１が押下されていることを示す状態データのみを入力すると、記憶部に記憶されているテーブルを参照してタイムシフト表示開始を示す操作信号を作成する。テレビジョン機能制御手段１４は、作成した操作信号をテレビジョン映像表示制御部１３に出力する。テレビジョン映像表示制御部１３は、タイムシフト表示開始を示す操作信号が入力されると、映像記憶装置１５に記憶されている映像データを用いて映像を再生する処理を再開する（ステップＳ１３）。
【００３２】
操作（Ｅ）は、マウス２６を左に移動させる操作（Ｄ）と同じ操作である。図７（ｂ）に示すように、タイムシフト表示が停止しているときに（ステップＳ２１，Ｓ２２）、操作（Ｅ）が行われると、ポインティングデバイスコントローラ１７からテレビジョン機能制御手段１４に、マウス２６の左方向への移動を示す移動データが出力される。テレビジョン機能制御手段１４は、タイムシフト停止中にマウス２６の左方向への移動を示す移動データが入力されると、記憶部に記憶されているテーブルを参照して巻き戻しを示す操作信号を作成する。テレビジョン機能制御手段１４は、作成した操作信号をテレビジョン映像表示制御部１３に出力する。テレビジョン映像表示制御部１３は、巻き戻しを示す操作信号が入力されると、過去の映像データに遡りつつ、すなわち、映像データの読み出しアドレスを遡りつつ、映像記憶装置１５から高速で映像データを読み出し、読み出した映像データをモニタ２４に出力する巻き戻しの制御を行う（ステップＳ２３）。
【００３３】
巻き戻し中に操作（Ｇ）が行われ、テレビジョン機能制御手段１４が、巻き戻し中に左ボタン３１が押下されていることを示す状態データのみを入力すると、記憶部に記憶されているテーブルを参照して巻き戻しの停止を示す操作信号を作成する。テレビジョン機能制御手段１４は、作成した操作信号をテレビジョン映像表示制御部１３に出力する。テレビジョン映像表示制御部１３は、巻き戻しの停止を示す操作信号が入力されると、映像の再生を停止した停止状態になる（ステップＳ２４）。
【００３４】
さらに、操作（Ｇ）が行われると、ポインティングデバイスコントローラ１７からテレビジョン機能制御手段１４に、マウス２６の左ボタン３１が押下されていることを示す状態データのみが出力される。テレビジョン機能制御手段１４は、停止状態において左ボタン３１が押下されていることを示す状態データのみを入力すると、記憶部に記憶されているテーブルを参照してタイムシフト表示開始を示す操作信号を作成する。テレビジョン機能制御手段１４は、作成した操作信号をテレビジョン映像表示制御部１３に出力する。テレビジョン映像表示制御部１３は、タイムシフト表示開始を示す操作信号が入力されると、映像データを用いて映像を再生する処理を再開する（ステップＳ２５）。
【００３５】
操作（Ｆ）は、マウス２６を右に移動させる操作（Ｄ）と同じ操作である。図７（ｃ）に示すように、タイムシフト表示が停止しているときに（ステップＳ３１，Ｓ３２）、操作（Ｆ）が行われると、ポインティングデバイスコントローラ１７からテレビジョン機能制御手段１４に、マウス２６の右方向への移動を示す移動データが出力される。テレビジョン機能制御手段１４は、タイムシフト停止中にマウス２６の右方向への移動を示す移動データが入力されると、記憶部に記憶されているテーブルを参照して早送りを示す操作信号を作成する。テレビジョン機能制御手段１４は、作成した操作信号をテレビジョン映像表示制御部１３に出力する。テレビジョン映像表示制御部１３は、早送りを示す操作信号が入力されると、映像データの読み出しアドレスを先に進めつつ、映像記憶装置１５から高速で映像データを読み出し、読み出した映像データをモニタ２４に出力する早送りの制御を行う（ステップＳ３３）。
【００３６】
早送り中に操作（Ｇ）が行われ、テレビジョン機能制御手段１４が、左ボタン３１が押下されていることを示す状態データのみを入力すると、記憶部に記憶されているテーブルを参照して早送りの停止を示す操作信号を作成する。テレビジョン機能制御手段１４は、作成した操作信号をテレビジョン映像表示制御部１３に出力する。テレビジョン映像表示制御部１３は、早送りの停止を示す操作信号が入力されると、映像の再生を停止した停止状態になる（ステップＳ３４）。
【００３７】
さらに、操作（Ｇ）が行われると、ポインティングデバイスコントローラ１７からテレビジョン機能制御手段１４に、マウス２６の左ボタン３１が押下されていることを示す状態データのみが出力される。テレビジョン機能制御手段１４は、停止状態において左ボタン３１が押下されていることを示す状態データのみを入力すると、記憶部に記憶されているテーブルを参照してタイムシフト表示開始を示す操作信号を作成する。テレビジョン機能制御手段１４は、作成した操作信号をテレビジョン映像表示制御部１３に出力する。テレビジョン映像表示制御部１３は、タイムシフト表示開始を示す操作信号が入力されると、映像データを用いて映像を再生する処理を再開する（ステップＳ３５）。
【００３８】
なお、マウス２６以外のポインティングデバイス２３として、ノート型パーソナルコンピュータで採用されているタッチパッドやポインティングスティックなど様々なデバイスが存在するが、いずれもボタン押下や移動操作を行えるデバイスであり、マウス２６と同様に操作することができる。
【００３９】
また、図２には、キーボード２２を用いたときのテレビジョン操作機能と入力操作との対応関係も示されている。図２に示すように、「＋」キー押下または「−」キー押下の操作は、操作（Ａ）と同様に音量増減の機能に対応させる。「↑」キー押下または「↓」キー押下の操作は、操作（Ｂ）と同じく映像チャンネル切り替え操作に対応させる。リターンキー２回押下は、操作（Ｃ）と同様にウィンドウ表示に移行させる機能に対応させる。操作（Ｄ）〜（Ｇ）に対応するキーボード２２の操作も、図２に示されている。図２に示す例では、マウス２６の左方向移動はキーボード２２の「←」キー押下に対応し、マウス２６の右方向移動はキーボード２２の「→」キー押下に対応し、マウス２６の左ボタン３１押下はキーボード２２のリターンキー押下に対応する。
【００４０】
実施形態２．
図８は、第２の実施形態（実施形態２）のテレビジョン放送表示機能を内蔵するパーソナルコンピュータ本体におけるテレビジョン機能に関する構成要素を周辺装置とともに示すブロック図である。本実施形態の基本構成は、第１の実施形態（実施形態１）と同じであるが、第２の実施形態では、図８に示すように、パーソナルコンピュータ本体８１は、操作設定切り替え手段８８を備えている。操作設定切り替え手段８８は、全画面表示モードと、操作部１０２も画面表示されるモードとを切り替える機能を有する。なお、全画面表示モードでは、モニタ２４において図４に示されたような画面表示がなされる。操作部１０２も画面表示されるモードでは、モニタ２４において図１１に示されたような画面表示がなされる。
【００４１】
全画面表示モードでは、テレビジョン映像表示制御部１３およびテレビジョン機能制御手段１４は、第１の実施の形態の場合と同様に動作する。操作部１０２も画面表示されるモードでは、テレビジョン機能制御手段１４は、ポインティングデバイス２３の操作が行われたときに、ポインティングデバイスコントローラ１７からのデータにもとづいて、操作パネルにおけるいずれかの表示項目が選択されたか否か判定する。そして、判定結果に応じて、映像チャンネル切り替えや音量調整の要求があったか否か判断する。
【００４２】
全画面表示モードから操作部１０２も画面表示されるモードに切り替える場合には、ユーザは、図６に示された操作（Ｃ）を行う。操作（Ｃ）が行われると、ポインティングデバイスコントローラ１７から操作設定切り替え手段８８に、マウス２６の右ボタン３２がダブルクリックされたことを示す状態データが出力される。右ボタン３２がダブルクリックされたことを示す状態データはテレビジョン機能制御手段１４にも入力されるが、テレビジョン機能制御手段１４は、そのような状態データを無視する。
【００４３】
第２の実施の形態では、操作設定切り替え手段８８は、右ボタン３２がダブルクリックされたことを示す状態データが入力されると、全画面表示モードから操作部１０２も画面表示されるモードへの切り替えを示す操作信号を作成する。操作設定切り替え手段８８は、作成した操作信号をテレビジョン映像表示制御部１３およびテレビジョン機能制御手段１４に出力する。テレビジョン映像表示制御部１３は、全画面表示モードから操作部１０２も画面表示されるモードへの切り替えを示す操作信号が入力されると、モニタ２４の画像表示エリア１０１に、図１１に示されたような表示がなされるように制御する。
【００４４】
操作部１０２も画面表示されるモードから全画面表示モードに切り替える場合には、ユーザは、予め決められている全画面表示モードへの切り替えに対応するポインティングデバイス２３またはキーボード２２の操作を行う。その操作を、全画面表示モード切替操作とする。全画面表示モード切替操作が行われると、ポインティングデバイスコントローラ１７から操作設定切り替え手段８８に、全画面表示モード切替操作に対応する状態データが出力される。操作設定切り替え手段８８は、全画面表示モード切替操作が行われたことを示す状態データが入力されると、操作部１０２も画面表示されるモードから全画面表示モードへの切り替えを示す操作信号を作成する。操作設定切り替え手段８８は、作成した操作信号をテレビジョン映像表示制御部１３およびテレビジョン機能制御手段１４に出力する。テレビジョン映像表示制御部１３は、操作部１０２も画面表示されるモードから全画面表示モードへの切り替えを示す操作信号が入力されると、モニタ２４の画像表示エリア１０１に全画面表示がなされるように制御する。
【００４５】
上記の各実施形態では、テレビジョン放送表示機能を内蔵した情報処理装置としてパーソナルコンピュータを例にしたが、本発明を、パーソナルコンピュータに限られず、ＰＤＡ（Personal Digital Assistant）等の携帯端末装置や情報処理機能を内蔵したテレビジョン受像機に適用することも可能である。
【００４６】
図９は、本発明による情報処理装置の基本構成を映像音声出力装置とともに示すブロック図である。図９に示すように、情報処理装置２００は、テレビジョン放送を受信する受信手段２０１（図１におけるチューナ１２に相当）と、受信手段２０１が受信したテレビジョン信号に基づく映像信号および音声信号を映像音声出力装置３００（図１におけるモニタ２４およびスピーカ２５に相当）に出力する出力手段２０２（図１におけるテレビジョン映像表示制御手段１３に相当）とを備え、出力手段２０２は、全画面表示モードのときには、受信したテレビジョン信号に基づく映像データのみを含む映像信号を映像音声出力装置３００に出力し、操作パネル表示モードのときには、受信したテレビジョン信号に基づく映像データと操作パネルの画像データとを含む映像信号を映像音声出力装置３００に出力し、ユーザの操作に応じた操作データ（図１におけるキーボード２２およびポインティングデバイス２３からの操作に対応する操作信号に対応するデータに相当）を出力する操作入力手段２０３（図１におけるキーボードコントローラ１６およびポインティングデバイスコントローラ１７に相当）を備え、操作入力手段２０３から出力される複数種類の操作データのそれぞれが示す各操作と、映像音声出力装置３００に出力される信号に対する制御の種類（図２に示された「機能」に相当）とが予め対応付けられ、全画面表示モードのときに、操作入力手段２０３から出力された操作データが示す操作が制御の種類に対応付けられている操作のうちのいずれかであるか否か判別する操作データ判別手段２０４（図１におけるテレビジョン映像機能制御手段１４に相当）と、操作データ判別手段２０４が操作入力手段２０３から出力された操作データが示す操作が制御の種類に対応付けられている操作のうちのいずれかであると判定した場合に、その操作に対応する制御を実行する制御実行手段２０５（図１におけるテレビジョン映像機能制御手段１４に相当）を備えたことを特徴とする。
【００４７】
図１０は、本発明による他の態様の情報処理装置の基本構成を映像音声出力装置とともに示すブロック図である。図１０に示すように、情報処理装置２１０は、図９に示す情報処理装置２００の構成に加えて、全画面表示モードと、操作パネル表示モードとを切り替える切替手段２０６（図８における操作設定切り替え手段８８に相当）を備えている。
【産業上の利用可能性】
【００４８】
本発明は、テレビジョン放送表示機能を内蔵したパーソナルコンピュータ等の情報処理装置に好適に適用される。
【図面の簡単な説明】
【００４９】
【図１】第１の実施形態のテレビジョン放送表示機能を内蔵するパーソナルコンピュータ本体におけるテレビジョン機能に関する構成要素を周辺装置とともに示すブロック図である。
【図２】テレビジョン操作機能とマウスまたはキーボードによる入力操作との対応関係の一例を示す説明図である。
【図３】ウィンドウ枠である画像表示エリアの中にテレビジョン放送画面が表示されている画面を示す説明図である。
【図４】全画面表示の画面を示す説明図である。
【図５】マウスを示す説明図である。
【図６】マウスの操作を説明するための説明図である。
【図７】タイムシフト機能にもとづく映像の再生が行われているときの処理を示すフローチャートである。
【図８】第２の実施形態のテレビジョン放送表示機能を内蔵するパーソナルコンピュータ本体におけるテレビジョン機能に関する構成要素を周辺装置とともに示すブロック図である。
【図９】本発明による情報処理装置を映像音声出力装置とともに示すブロック図である。
【図１０】本発明による他の態様の情報処理装置を映像音声出力装置とともに示すブロック図である。
【図１１】テレビジョン放送の映像表示例を説明するための説明図である。
【符号の説明】
【００５０】
１１  パーソナルコンピュータ
１２  チューナ
１３  テレビジョン映像表示制御部
１４  テレビジョン機能制御手段
１５  映像記憶装置
１６  キーボードコントローラ
１７  ポインティングデバイスコントローラ
１９  アンテナ入力端子
２１  アンテナケーブル
２２  キーボード
２３  ポインティングデバイス
２４  モニタ
２５  スピーカ
２６  マウス
３１  左ボタン
３２  右ボタン
８１  パーソナルコンピュータ
８８  操作設定切り替え手段
１０１  画像表示エリア
１０２  操作パネル
１０３  表示可能エリア
２００，２１０  情報処理装置
２０１  受信手段
２０２  出力手段
２０３  操作入力手段
２０４  操作データ判別手段
２０５  制御実行手段
２０６  切替手段
３００  映像音声出力装置
【図１】
2009284165.tif 000003
【図２】
2009284165.tif 000004
【図３】
2009284165.tif 000005
【図４】
2009284165.tif 000006
【図５】
2009284165.tif 000007
【図６】
2009284165.tif 000008
【図７】
2009284165.tif 000009
【図８】
2009284165.tif 000010
【図９】
2009284165.tif 000011
【図１０】
2009284165.tif 000012
【図１１】
2009284165.tif 000013